(57)【要約】　　　（修正有）【課題】炭素繊維糸の布を編むのと同時に縦糸または横糸の所に直接に色のついたプラスチック・ヤーン或いは金色のメタリック・ヤーンを加えることによって織り出して成型になった炭素繊維糸の布はきらきらとした色彩を持つようにさせて、反射光もよく、実際の効果が促進できる一種の炭素繊維糸の布の改良を提供する。【解決手段】一本の炭素繊維糸に一本のプラスチック・ヤーン３０を縦糸組織１０または横糸組織２０にして、平織り組織に交じり織られる炭素繊維からなる布の構造であって、プラスチック・ヤーン３０の断面直径は炭素繊維糸の断面直径より小さく、炭素繊維にプラスチック糸を合わせ、プラスチック・ヤーン３０は伸縮性の構造であり、炭素繊維は低伸縮性であって、１：１の比率で両糸を組み合わせることにより、硬性と弾性を両方兼ねて持ち、輝いて綺麗な色彩のある布であることを特徴とするラケット、自転車の枠、楽器ケース又は靴の被覆及び強化用炭素繊維布の構造。【選択図】　図２
0003098720.tif 000002
【実用新案登録請求の範囲】
【請求項１】
一種の炭素繊維糸の布の構造改良であり、それは一本の炭素繊維糸に一本のプラスチック・ヤーンを縦糸組織または横糸組織にして平織り組織に交じり織って、プラスチックの断面直径は炭素繊維の断面直径より小さいために１８００Ｄ単位の炭素繊維に５０〜１００Ｄ単位のプラスチック糸を合わせることができ、それは主としてプラスチック・ヤーンは伸縮性の構造で、炭素繊維は低伸縮性の硬式物であるために１：１の比例での双糸の組合せによって硬式と弾性を両方兼ねて持って、輝いて綺麗な色彩のある布になることができる。
【請求項２】
請求項１に述べられたような炭素繊維糸の布の構造改良であり、その中において編む時、炭素繊維糸の縦糸組織または炭素繊維糸の横糸組織に蛍光機能のあるプラスチック・ヤーンを加えて成型した炭素繊維糸の布は夜間に蛍光を出す効果を持つようにさせる。
【請求項３】
請求項１に述べられたような炭素繊維糸の布の構造改良であり、その中において炭素繊維糸の縦糸組織或いは炭素繊維糸の横糸組織の何れかの組織だけを選んでその中にプラスチック・ヤーン、金色のメタリック・ヤーンまたは蛍光糸を加えることもできる。
【考案の詳細な説明】
【０００１】
【従来の技術】
炭素繊維糸の布の用途は広くてその中の一つとして製品の表面を被覆してその製品の美観及び価値を向上させることに供すことであり、例えば：ラケット、自転車の枠などでは皆炭素繊維を使って包むようなやりかたが見られるし、外でも例えば音響のラッパケース、靴材なども皆炭素繊維糸の布で強化の機能に達すことができる。しかしながら従来知られた炭素繊維糸の布の構造は図１に示されたように（それは従来知られた炭素繊維糸の布で造られた実物製品である）その縦、横糸の１００、２００との織り方とは通常平織り組織を取って、即ち一本毎の縦糸１００は交代に横糸２００を上下に通過するために二本の隣にある縦糸１００の交錯はちょうど反対になって、もし一本の縦糸１００は横糸２００に沈んでいくと、次の縦糸１００がこの横糸２００の上方に浮かんでくるもので；炭素繊維糸の色は濃い黒であるためにそれを布に織った後でも真っ黒であるので業者はその美観の変化を増加するために普通としてそれに印刷またはペンキを塗るなど方式で布の色彩を豊かにさせるのであり、唯そのような二次加工の作業によって布において多種の色調が増えるが、その欠点として、二次加工のためにコストが高くなることを齎し、且炭素繊維糸の布についたペンキは摩擦或いは衝撃によって剥落しやすいことで却って布にマイナス効果を齎しやすいことである。
【０００２】
従って従来の欠点を見て考案人は力を尽くして研究を重ねて且長年の製造経験を集めて絶えず新しさを求めて変化も追及した努力によって設計を突破して、それに炭素繊維糸の布の構造に対して十分な考えを加えてよりよい完璧になるようにさせて何回もの試作、実験を経てやっと当考案を完成したので新型実用新案登録の請求に出しのである。
【０００３】
【課題を解決するための手段】
当考案の主な目的は一種の炭素繊維糸の布の構造改良を提供するのであり、それは炭素繊維糸の布を編む同時にそのもの自体の構造に影響を齎さない原則で炭層繊維糸の縦糸または炭素繊維糸の横糸の所に伸縮性があってまた色のあるプラスチック・ヤーン或いは金色のメタリック・ヤーン、蛍光糸などを加えて織り出して成型になった炭素繊維糸の布の構造の堅さを強化させて、また輝いた色彩及び反射光などの効果を持たせることによって従来知られた、二次加工を経てから始めて色彩があるような欠点を改善することができる。
【０００４】
【実施例】
次は当考案の改良構造の特徴など詳細を図面で説明する方式で詳しく述べてご審査提供させていただきます。
【０００５】
まず図２の説明を参考してください。当考案は一種の炭素繊維糸の布の構造改良であり、それは炭素繊維糸を編む同時に炭素繊維糸の縦糸組織１０及び炭素繊維糸の横糸組織２０の所に巧みに伸縮性及び色のあるプラスチック・ヤーン３０または金色のメタリック・ヤーン４０、蛍光糸などを加えて織り出して成型になった炭素繊維糸の布に硬式及び弾性を兼ねて持つ構造になるようにさせて、且きらきらとした色彩及び反射光などの効果を持つようになって（図２を参考してください。それは当考案の構造を具体的に実施する実物製品である）；その中において前述した炭素繊維糸と合わせて織り込まれたプラスチック・ヤーン３０、金色のメタリック・ヤーン４０または蛍光糸は硬式の炭素繊維糸の縦糸組織または横糸組織の外縁に並べるように設計できて、織り出した炭素繊維糸の布は純濃い黒色の炭素繊維糸が主になるようにさせるものであり、そして色彩及び伸縮性のよいプラスチック・ヤーン３０、金色のメタリック・ヤーン４０または蛍光糸を脇役に演出させることで一層加えられたプラスチック・ヤーン３０、金色のメタリック・ヤーン４０または蛍光糸などのような輝き色を目立たせることができ；プラスチック・ヤーンの断面直径は炭素繊維糸の断面直径より小さいために１８００Ｄ単位の炭素繊維糸に５〜１００Ｄ単位のプラスチック・ヤーンを合わせてからなるもので、要するにプラスチック・ヤーンは伸縮性のある構造で、炭素繊維糸糸は低伸縮性の硬式構造であるために１：１の比例にした二本の糸の組合わせで硬式及び弾性を両方兼ねて持つ布に織ることができ；また炭素繊維糸の布の用途によって炭素繊維糸とプラスチック・ヤーン３０、金色のメタリック・ヤーン４０または蛍光糸などの糸の縒り数（ＴＰ１）の比例を増減することもできる。
【０００６】
それに織る時、炭素繊維糸の縦糸組織１０または炭素繊維糸の横糸組織２０の何れかを選んでその中にプラスチック・ヤーン３０または金色のメタリック・ヤーン４０を加えると依然として同じように織り出して成型になった炭素繊維糸の布に前述した効果を持たせることもでき；または編む時に炭素繊維糸の縦糸組織１０または炭素繊維糸の横糸２０の所に蛍光効果のあるプラスチック・ヤーンを入れることによって成型した炭素繊維糸の布は夜間に蛍光が出せる効果を持つようになる。
【０００７】
更に炭素繊維糸の布に縦糸組織１０または炭素繊維糸の布の横糸組織２０の何れの中にプラスチック・ヤーン３０を入れると（同時に多種の色彩のあるプラスチック・ヤーン３０を合わせて入れること）一層より自然で活発な図案が設計でき、炭素繊維糸の布の元々持った機能が保てる外に更に構造の強化、視覚の美観などの効果も兼ねて持つし、且何らの不調和も感じられないのである。
【０００８】
唯、上に述べられたようなものは当考案のよりよい実施できる実施例しかないため、すべて当考案の説明書及び実用登録新案請求範囲内に応用される、同じ効果の構造変化は当考案の実用新案登録請求の範囲内に属されるべきである。
【０００９】
上記の記述から考えると当考案の構造は確かに新しくて並びに実際の効果も向上できるものであるために新型実用新案登録成立の要旨に符合するものになるのでどうかご審査の上実用新案権の成立を許可していただければなにより感謝いたすところでございます。
【００１０】
【図面の簡単な説明】
【図１】従来知られた構造の平面のイメージ図
【図２】当考案の構造の平面参考図
【００１１】
【符号の説明】
１００　　　縦糸
２００　　　横糸
１０　　　　縦糸組織
２０　　　　横糸組織
３０　　　　プラスチック・ヤーン
４０　　　　金色のメタリック・ヤーン
【図１】
0003098720.tif 000003
【図２】
0003098720.tif 000004
【手続補正書】
【提出日】平成15年3月7日(2003.3.7)
【手続補正１】
【補正対象書類名】明細書
【補正対象項目名】実用新案登録請求の範囲
【補正方法】変更
【補正の内容】
【実用新案登録請求の範囲】
【請求項１】
一本の炭素繊維糸に一本のプラスチック・ヤーン（３０）を縦糸組織（１０）または横糸組織（２０）にして、平織り組織に交じり織られる炭素繊維からなる布の構造であって、プラスチック・ヤーン（３０）の断面直径は炭素繊維糸の断面直径より小さく、１８００Ｄ単位の炭素繊維に５０〜１００Ｄ単位のプラスチック糸を合わせ、プラスチック・ヤーン（３０）は伸縮性の構造であり、炭素繊維は低伸縮性であって、１：１の比率で両糸を組合せることにより、硬性と弾性を両方兼ねて持ち、輝いて綺麗な色彩のある布である炭素繊維糸の布の構造。
【請求項２】
編む時、炭素繊維糸の縦糸組織（１０）または炭素繊維糸の横糸組織（２０）に蛍光機能のあるプラスチック・ヤーン（３０）を加えて成型することによって炭素繊維糸の布は夜間に蛍光を出す効果を持つようにさせた請求項１に記載の炭素繊維糸の布の構造。
【請求項３】
炭素繊維糸の縦糸組織（１０）或いは炭素繊維糸の横糸組織（２０）の何れかの組織だけを選んでその中にプラスチック・ヤーン（３０）、金色のメタリック・ヤーン（４０）または蛍光糸を加えた請求項１に記載の炭素繊維糸の布の構造。
【手続補正書】
【提出日】平成15年3月24日(2003.3.24)
【手続補正１】
【補正対象書類名】明細書
【補正対象項目名】実用新案登録請求の範囲
【補正方法】変更
【補正の内容】
【実用新案登録請求の範囲】
【請求項１】
一本の炭素繊維糸に一本のプラスチック・ヤーン（３０）を縦糸組織（１０）または横糸組織（２０）にして、平織り組織に交じり織られる炭素繊維からなる布の構造であって、プラスチック・ヤーン（３０）の断面直径は炭素繊維糸の断面直径より小さく、炭素繊維にプラスチック糸を合わせ、プラスチック・ヤーン（３０）は伸縮性の構造であり、炭素繊維は低伸縮性であって、１：１の比率で両糸を組合せることにより、硬性と弾性を両方兼ねて持ち、輝いて綺麗な色彩のある布である炭素繊維糸の布の構造。
【請求項２】
編む時、炭素繊維糸の縦糸組織（１０）または炭素繊維糸の横糸組織（２０）に蛍光機能のあるプラスチック・ヤーン（３０）を加えて成型した請求項１に記載の炭素繊維糸の布の構造。
【請求項３】
炭素繊維糸の縦糸組織（１０）或いは炭素繊維糸の横糸組織（２０）の何れかの組織だけを選んでその中にプラスチック・ヤーン（３０）、金色のメタリック・ヤーン（４０）または蛍光糸を加えた請求項１に記載の炭素繊維糸の布の構造。
【手続補正書】
【提出日】平成15年6月13日(2003.6.13)
【手続補正１】
【補正対象書類名】明細書
【補正対象項目名】実用新案登録請求の範囲
【補正方法】変更
【補正の内容】
【実用新案登録請求の範囲】
【請求項１】
一本の炭素繊維糸に一本のプラスチック・ヤーン（３０）を縦糸組織（１０）または横糸組織（２０）にして、平織り組織に交じり織られる炭素繊維からなる布の構造であって、プラスチック・ヤーン（３０）の断面直径は炭素繊維糸の断面直径より小さく、炭素繊維にプラスチック糸を合わせ、プラスチック・ヤーン（３０）は伸縮性の構造であり、炭素繊維は低伸縮性であって、１：１の比率で両糸を組合せることにより、硬性と弾性を両方兼ねて持ち、輝いて綺麗な色彩のある布であることを特徴とする炭素繊維糸の布を使用する製品の表面の被覆用及び強化用布の構造。
【請求項２】
炭素繊維糸の縦糸組織或いは炭素繊維糸の横糸組織の何れかの組織だけを選んでその中にプラスチック・ヤーン、金色のメタリック・ヤーンまたは蛍光糸を加える構造にすることを特徴とする請求項１に記載の炭素繊維糸の布を使用する製品の表面の被覆用及び強化用布の構造。
【請求項３】
炭素繊維糸の布を使用する製品が、ラケット、楽器ケース又は靴材である請求項１又は２の炭素繊維糸の布を使用する製品の表面の被覆用及び強化用布の構造。
【手続補正書】
【提出日】平成15年8月19日(2003.8.19)
【手続補正１】
【補正対象書類名】明細書
【補正対象項目名】実用新案登録請求の範囲
【補正方法】変更
【補正の内容】
【実用新案登録請求の範囲】
【請求項１】
一本の炭素繊維糸に一本のプラスチック・ヤーン（３０）を縦糸組織（１０）または横糸組織（２０）にして、平織り組織に交じり織られる炭素繊維からなる布の構造であって、プラスチック・ヤーン（３０）の断面直径は炭素繊維糸の断面直径より小さく、炭素繊維にプラスチック糸を合わせ、プラスチック・ヤーン（３０）は伸縮性の構造であり、炭素繊維は低伸縮性であって、１：１の比率で両糸を組合せることにより、硬性と弾性を両方兼ねて持ち、輝いて綺麗な色彩のある布であることを特徴とするラケット、自転車の枠、楽器ケース又は靴の被覆及び強化用炭素繊維布の構造。
【請求項２】
炭素繊維糸の縦糸組織或いは炭素繊維糸の横糸組織の何れかの組織だけを選んでその中に蛍光機能のあるプラスチックヤーンを加えることを特徴とする請求項１に記載のラケット、自転車の枠、楽器ケース又は靴の被覆及び強化用炭素繊維布の構造。
【請求項３】
炭素繊維糸の縦糸組織或いは炭素繊維糸の横糸組織の何れかの組織だけを選んでその中にプラスチックヤーン、金色メタリックヤーン又は蛍光糸を加えることを特徴とする請求項１に記載のラケット、自転車の枠、楽器ケース又は靴の被覆及び強化用炭素繊維布の構造。